(57)【要約】【課題】プリンタ端末で印刷を実行する際に、所定の操作が終了してプリント動作が実行されている間にその場を離れることが可能な画像通信システムを提供できるようにする。【解決手段】画像送信装置及び画像受信装置による画像送受信を行う前に、非接触ＩＤタグによって認証処理を行うようにすることにより、不特定多数のユーザが利用するプリンティングサービスシステムにおいて、プリンタ装置の設定を行ってプリントが開始された後は、プリント処理が実行されている間は、上記プリンタ装置の傍から離れることができるようにして、例えばプリントサービス機が設置されて店での買い物をすること等を行うことができるようにする。【選択図】        図１
2004215090.tif 000002
【特許請求の範囲】
【請求項１】
非接触で読み取り可能な非接触ＩＤタグと、前記非接触ＩＤタグとは異なる無線方式による画像送信手段を持つ画像送信装置と、前記非接触ＩＤタグから送信される情報を読み取る非接触ＩＤタグ読み取り手段と、前記画像送信手段によって送信された画像情報を受信する画像受信手段とを持つ画像受信装置とによる画像通信システムにおいて、
前記画像送信装置及び画像受信装置による画像の送受信を行う前に、前記非接触ＩＤタグによって認証処理を行うことを特徴とする画像通信システム。
【請求項２】
非接触で読み取り可能な非接触ＩＤタグと、前記非接触ＩＤタグとは異なる無線方式による画像送信手段を持つ画像送信装置と、
前記非接触ＩＤタグから送信されるＩＤ情報を読み取る読み取り手段と、前記画像送信手段によって送信された画像情報を受信する画像受信手段と、前記読み取り手段により読み取られたＩＤ情報に応じて前記画像受信手段により受信された画像情報を処理する画像処理手段とを持つ画像受信装置とから構成されたことを特徴とする画像通信システム。
【請求項３】
非接触で読み取り可能な非接触ＩＤタグと、前記非接触ＩＤタグとは異なる無線方式による画像送信手段を持つ画像送信装置より画像情報を受信する装置であって、
前記非接触ＩＤタグから送信されるＩＤ情報を読み取る読み取り手段と、
前記画像送信手段によって送信された画像情報を受信する画像受信手段と、
前記読み取り手段により読み取られたＩＤ情報に応じて前記画像受信手段により受信された画像情報を処理する画像処理手段とを備えることを特徴とする画像処理装置。
【請求項４】
前記ＩＤ情報と共に前記ＩＤタグより読み取った画像処理条件の情報に基づいてデータベースを生成して記憶するデータベース生成手段を備え、前記画像処理手段は前記データベース内のＩＤ情報のうち前記読み取り手段により読み取られたＩＤ情報に対応した画像処理条件の情報に基づいて前記画像情報を処理することを特徴とする請求項３に記載の画像処理装置。
【発明の詳細な説明】
【０００１】
【発明の属する技術分野】
本発明は、画像通信システム及び画像処理装置に関し、特に、撮像装置とプリンタとの間を無線によって接続し、上記撮像装置からプリンタを直接操作することができるようにするプリントシステム、または、街頭に設置されているプリント端末でプリントサービスを提供するために用いて好適なものである。
【０００２】
【従来の技術】
近年、デジタルスチルカメラや、テープ媒体の他に脱着可能なフラッシュメモリカードに静止画の記録・再生を行うデジタルビデオカメラ等が普及している。これに伴い、これらのカメラで撮影した画像をプリントしたいというニーズが広まり、パソコンとプリンタによるシステムと接続してプリントアウトを行う他、これらの装置を持たないユーザのために、コンビニエンスストアなどの店頭にセルフサービスのプリント端末が設置される動きが広がっている。
【０００３】
このようなプリントサービスにおいては、ユーザが持参したメモリカードや、カメラ本体をプリント端末に接続し、セルフサービスにて設定を行い、プリントを実行するようにしている。この種の技術として、従来は、例えば、特許文献１に記載の技術が知られている。
【０００４】
【特許文献１】
特開２０００−３４７３０１号公報
【０００５】
【発明が解決しようとする課題】
しかしながら、上記の店頭に設置されているプリント端末を使う際には、プリントを開始・実行している間は、プリンタに接続したフラッシュメモリカードやカメラ本体の盗難を防ぐために、ユーザはその場を離れることが出来ない問題があった。また、先客がいた場合なども、その先客のプリントが終了するまで上記プリンと端末の前に並んで待つなどしなければならない問題があった。
【０００６】
本発明は上述の問題点にかんがみてなされたもので、プリンタ端末で印刷を実行する際に、所定の操作が終了してプリント動作が実行されている間において、その場を離れていても撮影した画像をプリントすることを可能にする画像通信システムを提供することを目的とする。
【０００７】
【課題を解決するための手段】
本発明の画像通信システムは、非接触で読み取り可能な非接触ＩＤタグと、前記非接触ＩＤタグとは異なる無線方式による画像送信手段を持つ画像送信装置と、前記非接触ＩＤタグから送信される情報を読み取る非接触ＩＤタグ読み取り手段と、前記画像送信手段によって送信された画像情報を受信する画像受信手段とを持つ画像受信装置とによる画像通信システムにおいて、前記画像送信装置及び画像受信装置による画像の送受信を行う前に、前記非接触ＩＤタグによって認証処理を行うことを特徴としている。
また、本発明の他の特徴とするところは、非接触で読み取り可能な非接触ＩＤタグと、前記非接触ＩＤタグとは異なる無線方式による画像送信手段を持つ画像送信装置と、前記非接触ＩＤタグから送信されるＩＤ情報を読み取る読み取り手段と、前記画像送信手段によって送信された画像情報を受信する画像受信手段と、前記読み取り手段により読み取られたＩＤ情報に応じて前記画像受信手段により受信された画像情報を処理する画像処理手段とを持つ画像受信装置とから構成されていることを特徴としている。
【０００８】
本発明の画像処理装置は、非接触で読み取り可能な非接触ＩＤタグと、前記非接触ＩＤタグとは異なる無線方式による画像送信手段を持つ画像送信装置より画像情報を受信する装置であって、前記非接触ＩＤタグから送信されるＩＤ情報を読み取る読み取り手段と、前記画像送信手段によって送信された画像情報を受信する画像受信手段と、前記読み取り手段により読み取られたＩＤ情報に応じて前記画像受信手段により受信された画像情報を処理する画像処理手段とを備えることを特徴としている。
【０００９】
【発明の実施の形態】
次に、本発明をプリント端末及びデジタルビデオカメラによるプリンティングシステムで応用した第１の実施の形態について図面を用いて説明する。なお、本実施の形態のプリンタ側は、コンビニエンスストア等に設置される、セルフサービスによるプリントサービス機を想定している。また、デジタルビデオカメラは、客が持参してきた物で、非接触ＩＤタグが内蔵された、本実施の形態のプリントサービス対応機であることを想定している。
【００１０】
図１は、本実施の形態のデジタルビデオカメラ３００（図３参照）の概略構成を示すブロック図である。
図１において、１０１は被写体を取り込む撮影レンズ、１０２は後述の撮像素子への光量を制御する絞り、１０３は取り込んだ被写体を画像信号に変換する撮像素子、１０４は前記画像信号をサンプルホールドし、適正な信号レベルにするＣＤＳ／ＡＧＣ、１０５は前記ＣＤＳ／ＡＧＣ１０４からの画像信号をＡ／Ｄ変換し、デジタル信号処理を行うデジタル信号処理回路、１０６はデジタル信号処理回路１０５からの生データを１フレーム分ずつ蓄積するフレームメモリ、１０７は前記フレームメモリ１０６の画素を後述のＤＶ方式での記録ができるように画素数を調整する画素数調整回路である。なお、上記撮影レンズ１０１ないし画素数調整回路１０７のブロックからなるブロックをカメラヘッド１０１ａと呼ぶ。
【００１１】
次いで、１０８は画像データを動画像はＭＰＥＧ方式、静止画像はＪＰＥＧ方式にて圧縮符号化／復号化するＭＰＥＧ／ＪＰＥＧコーデック、１０９は前記符号化されたＭＰＥＧまたはＪＰＥＧ圧縮画像データを記録するリムーバブルディスク、１１０は前記圧縮されたＭＰＥＧまたはＪＰＥＧ圧縮画像データを記録するメモリカード、１１１は再生モード時にはＭＰＥＧ／ＪＰＥＧコーデック１０８からの再生画像データを表示し、撮影時には前記カメラヘッド１０１ａからのスルー画像や、その他の適宜な情報を表示する液晶ディスプレイである。
【００１２】
また、１１２は前記液晶ディスプレイ１１１を駆動する液晶ドライバ、１１３は前記ＭＰＥＧ／ＪＰＥＧコーデック１０８にて生成された圧縮画像データを前記プリント端末に送信し、また前記プリント端末からの後述する制御信号を受信する送受信部、１１４は前記送受信部につながる送受信アンテナである。
【００１３】
１１５は操作キー１１６の状態を読んで各種機能の実行を制御したり、モードダイヤル１１７の状態を読んで機器全体のモードを制御したりするメインマイコン、１１８は本実施の形態のデジタルビデオカメラ３００の識別符号が格納され、前記プリント端末によって非接触で読み出される非接触ＩＤタグである。
【００１４】
図２は、本実施の形態のプリントサービス機の概略構成を示すブロック図である。図２において、２０１は後述の送受信部２０２につながる送受信アンテナ、２０２は前記デジタルビデオカメラ３００から送信された圧縮画像データを受信し、また前記デジタルビデオカメラ３００への後述する制御信号を送信する送受信部、２０３は前記送受信部２０２にて受信された圧縮画像データを復号化するＭＰＥＧ／ＪＰＥＧデコーダである。
【００１５】
２０４は前記復号化されたＪＰＥＧ画像またはＭＰＥＧ画像のフレーム画を所定の用紙に印刷するプリントエンジン、２０５は前記デジタルビデオカメラ３００の非接触ＩＤタグ１１８の識別符号を非接触にて読み出す非接触ＩＤタグ読み取り部、２０６は前記ＭＰＥＧ／ＪＰＥＧコーデック２０３からの画像データや各種情報を表示するディスプレイ、２０７は後述のタグデータメモリのデータ管理や機器全体の制御を行うマイコン、２０８は前記非接触ＩＤタグ読み取り部２０５から読み出したデータを格納するタグデータメモリである。
【００１６】
図３（ａ）及び（ｂ）は、本実施の形態のプリンティングシステムの概要を示す図である。以上の構成において、本実施の形態の動作手順の一例を図４のシーケンスチャートを用いて説明する。
【００１７】
図３（ａ）に示すように、客が持参したデジタルビデオカメラ３００をプリントサービス機３０１の所定位置に乗せると、図４のステップＳ４０１に示すように、プリントサービス機３０１側によって非接触ＩＤタグ１１８の検出が開始され、非接触にてＩＤ情報が読み取られる。
【００１８】
読み取りに成功すると上記非接触ＩＤタグ１１８のＩＤがプリントサービス機３０１側に登録され、前記タグデータメモリに格納される。その後、プリントサービス機３０１側から無線手段を通じて、デジタルビデオカメラ３００側に本体電源ＯＮコマンドが送信される。
【００１９】
次に、ステップＳ４０３にてデジタルビデオカメラ３００の電源が入ると、使用者はデジタルビデオカメラ３００側にてプリントする画像の指定、プリントサイズ、枚数等の印刷条件を設定する。また、この時に画像の明るさ、コントラスト等も好みに応じて変更することができる。
【００２０】
その後、ステップＳ４０４にて所定の操作を行い、プリントサービス機３０１側に設定情報を送ると、ステップＳ４０５にて設定が保存される。この時、客が自身の氏名、住所等の個人情報を登録しておくと、プリントサービス機３０１に前記ＩＤと個人情報のデータベースが作成されるため、次回以降は前記画像補正などの設定が自動的に行われるようになる。
【００２１】
その後、所定の操作により、ステップＳ４０６にてプリントが開始される。この際、プリントエンジン２０４はＩＤ情報と共に記憶されたデータベースに登録されている画像補正情報に基づいてプリントする画像情報を補正処理する。プリント開始後は、無線の送信出力が上がるので、図３（ｂ）に示すように、デジタルビデオカメラ３００とプリントサービス機３０１とを離しておくことも可能である。
【００２２】
その後、プリントサービス機３０１においてプリントが終了すると、次に、ステップＳ４０７にて印刷終了のコマンドがプリントサービス機３０１からデジタルビデオカメラ３００側に通知されるので、プリントサービス機３０１に完成プリントを取りに行けばよい。
【００２３】
本実施の形態では、前記画像補正情報を、使用者のデジタルビデオカメラ３００の個体ＩＤに対応させるデータベースを作成・利用しているが、前記ＩＤにデジタルビデオカメラ３００の機種名の識別コードを入れておき、プリントサービス機３０１側で機種ごとの画像補正情報のデータベースを作成・利用する形式としても良い。
【００２４】
また、複数の店舗のプリントサービス機３０１をネットワークで接続し、上記ネットワーク上のサーバに前記データベースを蓄積させる構成としても良い。
さらに、本実施の形態ではデジタルビデオカメラ３００からのプリンティングシステムとなっているが、デジタルスチルカメラからのプリンティングシステムとして稼働できることは言うまでもない。
【００２５】
（第２の実施の形態）
次に、本発明をプリント端末及びデジタルビデオカメラ３００によるプリンティングシステムで応用した第２の実施の形態について、図面を用いて説明する。
本実施の形態のデジタルビデオカメラ３００の構成は、前記第１の実施の形態に記載の図１に示す構成と同様である。
【００２６】
図５は、本実施の形態のプリントサービス機６００の構成を示すブロック図である。図５において、アンテナ５０１ないしタグデータメモリ５０８は、前記第１の実施の形態における図２のアンテナ２０１ないしタグデータメモリ２０８の説明と同様である。また、５０９は、プリント取り出し口に設けられた取り出し口シャッターである。以上の構成において、本実施の形態の動作を図７のシーケンスチャートを用いて説明する。
【００２７】
図３（ａ）に示したように、客が持参したデジタルビデオカメラ３００をプリントサービス機６００の所定位置に乗せると、図７のステップＳ７０１に示すように、プリントサービス機６００側によって非接触ＩＤタグ１１８の検出が開始され、非接触ＩＤが読み取られる。
【００２８】
非接触ＩＤの読み取りに成功すると、そのＩＤがプリントサービス機６００側に登録され、前記タグデータメモリ５０８に格納される。その後、ステップＳ７０２において、プリントサービス機６００側から無線手段を通じて、デジタルビデオカメラ３００側に本体電源ＯＮコマンドが送信される。
【００２９】
これにより、ステップＳ７０３にてデジタルビデオカメラ３００の電源が入ると、使用者はデジタルビデオカメラ３００側にてプリントする画像の指定、プリントサイズ、枚数等の印刷条件を設定する。またこの時、画像の明るさ、コントラスト等の画像補正も好みに応じて設定することができる。
【００３０】
その後、ステップＳ７０４にて所定の操作を行い、プリントサービス機６００側に設定情報を送ると、ステップＳ７０５にて設定が保存される。この時、客が自身の氏名、住所等の個人情報を登録しておくと、プリントサービス機６００に前記ＩＤと個人情報のデータベースが作成されるため、次回以降は前記画像補正などの設定が自動的に行われるようになる。
【００３１】
その後、所定の操作により、ステップＳ７０６にてプリントが開始される。プリント開始後は、無線の送信出力が上がるので、図３（ｂ）に示したように、デジタルビデオカメラ３００とプリントサービス機６００を離しておくことも可能である。その後プリントが終了すると、ステップＳ７０７にて印刷終了のコマンドがデジタルビデオカメラ３００側に通知される。
【００３２】
本実施の形態のプリントサービス機６００では、その後出来上がりプリントを取り出すためには、ステップＳ７０８に示すように非接触ＩＤによる認証が再び必要となる。そして、認証結果がＯＫとなると、図６に示すように、取り出し口のシャッター６０１が開き、出来上がったプリントを取り出すことができる。
【００３３】
なお、本実施の形態のプリンティングシステムにおいては、プリントサービス機６００が印刷中でも、２人目以降の利用者のデジタルビデオカメラ３００の認証・認証が可能であり、１人目のプリントが終わった後にすぐ２人目のプリントが行われ、プリント予約が可能となる。
【００３４】
図８は本実施の形態のプリントサービス機６００を２人で利用する場合の動作を時間的な経過に沿って示した図である。図８に示すように、２人目以降の利用者は前の利用者のプリントが終了するのを待つことなく認証、印刷条件の設定ができるため、効率よく前記プリントサービス機６００を稼働させることができる。
【００３５】
また、完成プリントを取り出す際にＩＤ認証を行い、上記ＩＤに対応する完成プリントが排出されるようになっているため、前の利用者が完成プリントを取りに来ていなくても、取り違える不都合を防止することができる。
【００３６】
本実施の形態では、前記画像補正情報を、使用者のデジタルビデオカメラ３００の個体ＩＤに対応させるデータベースを作成・利用しているが、前記ＩＤにデジタルビデオカメラ３００の機種名の識別コードを入れておき、プリントサービス機６００側で機種ごとの画像補正情報のデータベースを作成・利用する形式としても良い。
【００３７】
また、複数の店舗のプリントサービス機６００をネットワークで接続し、上記ネットワーク上のサーバに前記データベースを蓄積させる構成としても良い。
さらに、本実施の形態ではデジタルビデオカメラ３００からのプリンティングシステムとなっているが、デジタルスチルカメラからのプリンティングシステムとして稼働できることは言うまでもない。
【００３８】
上述したように、本実施の形態の画像通信システムによれば、先客がプリント中でも並んで待つ必要がないプリントシステムを実現することができる。
さらに、複数人でプリント端末を利用した場合等に、完成したプリントを取り違えることがないプリントシステムを構成することができる。
【００３９】
これにより、プリンティングサービスを利用する際に、設定を行ってプリントを開始した後は比較的サービスエリアの広い無線方式でプリントサービス機にデータを送ることにより、プリントが実行されている間、上記プリントサービス機から離れた場所に移動することが可能になるので、例えば端末設置店での買い物をする等を行うようにすることができる。
【００４０】
また、本発明の他の特徴によれば、機種または利用者の管理を非接触ＩＤタグで行っているため、複雑な操作なしに、画像補正データベースを適切に利用することができ、さらに複数人でプリント端末を利用した場合等に、完成したプリントを取り違えることがなくなり、また、先客がプリント中でも並んで待つ必要がないプリントシステムに有効な画像通信装置を提供することが可能となる。
【００４１】
（本発明の他の実施の形態）
本発明は複数の機器から構成されるシステムに適用しても１つの機器からなる装置に適用しても良い。
【００４２】
また、上述した実施の形態の機能を実現するように各種のデバイスを動作させるように、上記各種デバイスと接続された装置あるいはシステム内のコンピュータに対し、記憶媒体から、またはインターネット等の伝送媒体を介して上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４３】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４４】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００４５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００４６】
本発明の実施態様の例を以下に列挙する。
〔実施態様１〕非接触で読み取り可能な非接触ＩＤタグと、前記非接触ＩＤタグとは異なる無線方式による画像送信手段を持つ画像送信装置と、前記非接触ＩＤタグから送信される情報を読み取る非接触ＩＤタグ読み取り手段と、前記画像送信手段によって送信された画像情報を受信する画像受信手段とを持つ画像受信装置とによる画像通信システムにおいて、前記画像送信装置及び画像受信装置による画像の送受信を行う前に、前記非接触ＩＤタグによって認証処理を行うことを特徴とする画像通信システム。
【００４７】
〔実施態様２〕非接触で読み取り可能な非接触ＩＤタグと、前記非接触ＩＤタグとは異なる無線方式による画像送信手段を持つ画像送信装置と、前記非接触ＩＤタグから送信されるＩＤ情報を読み取る読み取り手段と、前記画像送信手段によって送信された画像情報を受信する画像受信手段と、前記読み取り手段により読み取られたＩＤ情報に応じて前記画像受信手段により受信された画像情報を処理する画像処理手段とを持つ画像受信装置とから構成されたことを特徴とする画像通信システム。
【００４８】
〔実施態様３〕前記画像送信装置は、被写体を撮影する撮像手段と、前記撮像手段からの映像情報を記録する映像記録媒体とを有する撮像装置であり、前記画像受信装置は、前記受信した映像情報を所定の用紙に印刷する印刷手段を有するプリンタ装置であることを特徴とする実施態様１または２に記載の画像通信システム。
【００４９】
〔実施態様４〕前記画像送信装置は、前記プリンタ装置の動作条件情報を記憶するプリンタ設定保持手段を有し、前記非接触ＩＤタグによる認証時に、前記画像送信装置から前記画像受信装置に前記プリンタ動作条件情報が渡されることを特徴とする実施態様１〜３の何れか１項に記載の画像通信システム。
【００５０】
〔実施態様５〕前記プリンタ装置は、印刷終了後のプリントを取り出す際にも、前記非接触ＩＤタグによる認証が必要であることを特徴とする実施態様３または４に記載の画像通信システム。
【００５１】
〔実施態様６〕前記画像送信装置と前記画像受信装置との間で前記非接触ＩＤタグによる認証を行った後においては、画像の送受信が行われている間でも、上記画像受信装置は、別の画像送信装置の非接触ＩＤタグによる認証が可能であることを特徴とする実施態様１〜５の何れか１項に記載の画像通信システム。
【００５２】
〔実施態様７〕上記画像受信装置は、第１の画像送信装置との間で画像通信が行われている間に第２の画像送信装置の非接触ＩＤタグによる認証が行われた場合、上記第１の画像送信装置による画像通信の終了後に、上記第２の画像送信装置による画像通信を自動的に開始することを特徴とする実施態様６に記載の画像通信システム。
【００５３】
〔実施態様８〕前記プリンタ装置は、前記印刷が終了したプリントを装置から取り出す際にも、前記非接触ＩＤタグによる認証が必要であることを特徴とする実施態様６または７に記載の画像通信システム。
【００５４】
〔実施態様９〕前記プリンタ装置は、前記画像送信装置の機種別に設定されているプリンタ動作条件のデータベースを有し、前記非接触ＩＤタグによる認証時に前記画像送信側の機種の情報が前記画像受信側に渡され、前記画像受信側のデータベースに記録されている前記画像送信装置である場合、前記プリンタ動作条件にて動作することを特徴とする実施態様３〜８の何れか１項に記載の画像通信システム。
【００５５】
〔実施態様１０〕前記画像送信装置の機種が前記データベースに記載されていない場合、前記ＩＤと設定条件が新たに前記データベースに登録されることを特徴とする実施態様９に記載の画像通信システム。
【００５６】
〔実施態様１１〕非接触で読み取り可能な非接触ＩＤタグと、前記非接触ＩＤタグとは異なる無線方式による画像送信手段を持つ画像送信装置と、前記非接触ＩＤタグから送信される情報を読み取る非接触ＩＤタグ読み取り手段と、前記画像送信手段によって送信された画像情報を受信する画像受信手段とを持つ画像受信装置との間で行われる画像処理方法であって、前記画像送信装置と上記画像受信装置との間で画像の送受信を行う前に、前記非接触ＩＤタグによって認証処理を行うことを特徴とする画像処理方法。
【００５７】
〔実施態様１２〕前記画像送信装置は、所定の暗号鍵を用いて送信する画像情報を暗号化する画像暗号化処理を行い、前記画像受信装置は、受信した暗号化された画像情報を前記暗号鍵を用いて復号化する画像暗号復号化処理を行い、前記非接触ＩＤタグによる認証時に、前記暗号鍵を前記画像送信装置から画像受信装置に渡すことを特徴とする実施態様１１に記載の画像処理方法。
【００５８】
〔実施態様１３〕非接触で読み取り可能な非接触ＩＤタグと、前記非接触ＩＤタグとは異なる無線方式による画像送信手段を持つ画像送信装置と、前記非接触ＩＤタグから送信される情報を読み取る非接触ＩＤタグ読み取り手段と、前記画像送信手段によって送信された画像情報を受信する画像受信手段とを持つ画像受信装置との間で行われる画像処理方法をコンピュータに実行させるためのプログラムであって、前記画像送信装置と上記画像受信装置との間で画像の送受信を行う前に、前記非接触ＩＤタグによって認証処理をコンピュータに実行させることを特徴とするコンピュータプログラム。
【００５９】
〔実施態様１４〕上記実施態様１３に記載のプログラムを記録したことを特徴とするコンピュータ読み取り可能な記録媒体。
【００６０】
〔実施態様１５〕非接触で読み取り可能な非接触ＩＤタグと、前記非接触ＩＤタグとは異なる無線方式による画像送信手段を持つ画像送信装置より画像情報を受信する装置であって、前記非接触ＩＤタグから送信されるＩＤ情報を読み取る読み取り手段と、前記画像送信手段によって送信された画像情報を受信する画像受信手段と、前記読み取り手段により読み取られたＩＤ情報に応じて前記画像受信手段により受信された画像情報を処理する画像処理手段とを備えることを特徴とする画像処理装置。
【００６１】
〔実施態様１６〕前記ＩＤ情報と共に前記ＩＤタグより読み取った画像処理条件の情報に基づいてデータベースを生成して記憶するデータベース生成手段を備え、前記画像処理手段は前記データベース内のＩＤ情報のうち前記読み取り手段により読み取られたＩＤ情報に対応した画像処理条件の情報に基づいて前記画像情報を処理することを特徴とする実施態様１５に記載の画像処理装置。
【００６２】
【発明の効果】
以上説明してきたように、本発明によれば、画像送信装置及び画像受信装置による画像送受信を行う前に、非接触ＩＤタグによって認証処理を行うようにしたので、不特定多数のユーザが利用するプリンティングサービスシステムにおいて、プリンタ装置の設定を行ってプリントが開始された後は、比較的サービスエリアの広い無線方式でプリントサービス機にデータを送ることにより、プリント処理が実行されている間は、上記プリンタ装置の傍から離れることが可能となる。これにより、例えばプリントサービス機が設置されて店での買い物をすること等が可能なプリンティングシステムを提供することができる。
【図面の簡単な説明】
【図１】本発明の実施の形態を示し、デジタルビデオカメラの構成例を示すブロック図である。
【図２】第１の実施の形態のプリントサービス機の概略構成を示すブロック図である。
【図３】第１の実施の形態のプリンティングシステムの概要を示す図である。
【図４】第１の実施の形態のプリンティングシステムの動作手順の一例を示すシーケンスチャートである。
【図５】第２の実施の形態のプリントサービス機の概略構成を示すブロック図である。
【図６】第２の実施の形態のプリンティングシステムの概要を示す図である。
【図７】第２の実施の形態のプリンティングシステムの動作手順の一例を示すシーケンスチャートである。
【図８】第２の実施の形態のプリンティングシステムを複数人で利用する場合の動作を示す図である。
【符号の説明】
１０１  撮影レンズ
１０１ａ    カメラヘッド
１０２  絞り
１０３  撮像素子
１０４  ＣＤＳ／ＡＧＣ
１０５  デジタル信号処理回路
１０６  フレームメモリ
１０７  画素数調整回路
１０８  ＭＰＥＧ／ＪＰＥＧコーデック
１０９  リムーバブルディスク
１１０  フラッシュメモリカード
１１１  液晶ディスプレイ
１１２  液晶ドライバ
１１３  送受信部
１１４  送受信アンテナ
１１５メインマイコン
１１６  操作キー
１１７  モードダイヤル
１１８  非接触ＩＤタグ
【図１】
2004215090.tif 000003
【図２】
2004215090.tif 000004
【図３】
2004215090.tif 000005
【図４】
2004215090.tif 000006
【図５】
2004215090.tif 000007
【図６】
2004215090.tif 000008
【図７】
2004215090.tif 000009
【図８】
2004215090.tif 000010